(57)【要約】【課題】外した眼鏡を衣服等に保持する眼鏡ホルダーにおいて、保持した眼鏡の揺れが少なく、保持した眼鏡が前屈みになった使用者の視界を遮らず、衣服等への装着位置を容易に変更でき、デザイン性に優れた眼鏡ホルダーを提供する。【解決手段】この眼鏡ホルダー１は、衣服やベルトに固定されるクリップ２を有する固定部３と、固定部３に取り付けられ眼鏡１２の弦１３が耳掛け１７から挿通されて弦１３が折り畳まれた眼鏡１２の蝶番１８を支持する挿通部５とを備えている。固定部３のクリップ２を使用者の衣服やベルト等の任意の位置（襟、ポケット、Ｔシャツの胸部等）に固定し、顔から外した眼鏡１２の弦１３を挿通部５の挿通穴１４に挿入し、弦１３を折り畳んだ眼鏡１３を蝶番１８の部分で挿通部５に下げる。これにより、サングラスや老眼鏡等の眼鏡１２を顔から外した際、その眼鏡１２を手で持つことなく携帯できる。【選択図】図２
2012022195.tif 000002
【特許請求の範囲】
【請求項１】
外した眼鏡を衣服やベルトに保持するための眼鏡ホルダーであって、
衣服やベルトにそれらを挟んで固定されるクリップ又はそれらを刺し通して固定される安全ピンを有する固定部と、
該固定部に取り付けられた環状体から成り眼鏡の弦が耳掛けから挿通されて弦が折り畳まれた眼鏡の蝶番を支持する挿通部と
を備えたことを特徴とする眼鏡ホルダー。
【請求項２】
前記挿通部を成す環状体は、厚さが幅よりも小さい扁平断面を有する請求項１に記載の眼鏡ホルダー。
【請求項３】
前記挿通部を成す環状体は、弾性を有するコイルをリング状に繋げた構成である請求項１に記載の眼鏡ホルダー。
【請求項４】
前記固定部及び前記挿通部の少なくとも一方に、装飾が設けられた
請求項１乃至３のいずれかに記載の眼鏡ホルダー。
【発明の詳細な説明】
【技術分野】
【０００１】
本発明は、外した眼鏡を衣服やベルトに保持するための眼鏡ホルダーに関する。
【背景技術】
【０００２】
サングラスや老眼鏡等の眼鏡は、使用状況によって、掛けたり外したりすることが多い。外した眼鏡を保持する眼鏡ホルダーとして、眼鏡の左右の弦に紐やチェーンの両端を取り付け、その紐やチェーンの中程を使用者の首に掛けて眼鏡を吊り下げるタイプのものが知られている（特許文献１、２）。
【０００３】
また、別の眼鏡ホルダーとして、衣服を貫通するタックピンと、衣服の裏側にて衣服を貫通したタックピンの先端に装着されるピン留め具と、タックピンの衣服の表側の部分に取り付けられたリングとを備え、リングに眼鏡の弦を挿通して眼鏡を蝶番の部分で下げるようにしたものが知られている（特許文献３、４）。
【先行技術文献】
【特許文献】
【０００４】
【特許文献１】特開２００５−７０２４８号公報
【特許文献２】特開２００１−３５６３０６号公報
【特許文献３】実用新案登録第３０２７０６７号公報
【特許文献４】実開平６−７６９２６号公報
【発明の概要】
【発明が解決しようとする課題】
【０００５】
ところで、紐やチェーンによって眼鏡を首から吊り下げるタイプでは、使用者が前屈みになったときに、眼鏡がブランコのように大きく揺れてしまい、煩わしい。また、使用者が前屈みなって下向きの作業（例えば靴の脱ぎ履き）を行うと、首から紐やチェーンを介して吊り下げられた眼鏡が、使用者の目の略真下に位置して下向きの視界を丁度遮るため、下向きの作業が妨げられてしまう。
【０００６】
他方、タックピンとピン留め具によって衣服に装着するタイプの眼鏡ホルダーでは、装着位置を変更する際に、衣服の裏側にてピン留め具をタックピンの先端から取り外す必要があり、煩雑である。例えば、この眼鏡ホルダーを衣服の胸の部分（ポケット等）に装着した後、ショルダーバッグを肩から掛け、バッグの肩掛け紐が眼鏡ホルダー又はそれに掛けられた眼鏡と干渉する場合、ピン留め具を衣服の裏側にてタックピンから取り外す作業が必要となるが、歩きながらそのような作業を行うことは煩わしく、取り外したピン留め具を紛失してしまう虞がある。特に、老眼鏡を使用する高齢者（中高齢者）にとっては、衣服の裏側にてピン留め具をタックピンから取り外して付け直すという細かい作業を歩きながら行うことは困難な場合が多く、ピン留め具を落としてしまう可能性が高い。
【０００７】
以上の事情を考慮して創案された本発明の目的は、外した眼鏡を衣服等に保持する眼鏡ホルダーにおいて、保持した眼鏡の揺れが少なく、保持した眼鏡が前屈みになった使用者の視界を遮らず、衣服等への装着位置を容易に変更でき、デザイン性に優れた眼鏡ホルダーを提供することにある。
【課題を解決するための手段】
【０００８】
上記目的を達成するために請求項１に係る発明は、外した眼鏡を衣服やベルトに保持するための眼鏡ホルダーであって、衣服やベルトにそれらを挟んで固定されるクリップ又はそれらを刺し通して固定される安全ピンを有する固定部と、該固定部に取り付けられた環状体から成り眼鏡の弦が耳掛けから挿通されて弦が折り畳まれた眼鏡の蝶番を支持する挿通部とを備えたことを特徴とする眼鏡ホルダーである。
【０００９】
請求項２に係る発明は、前記挿通部を成す環状体は、厚さが幅よりも小さい扁平断面を有する請求項１に記載の眼鏡ホルダーである。
【００１０】
請求項３に係る発明は、前記挿通部を成す環状体は、弾性を有するコイルをリング状に繋げた構成である請求項１に記載の眼鏡ホルダーである。
【００１１】
請求項４に係る発明は、前記固定部及び前記挿通部の少なくとも一方に、装飾が設けられた請求項１乃至３のいずれかに記載の眼鏡ホルダーである。
【発明の効果】
【００１２】
本発明に係る眼鏡ホルダーによれば次のような効果を発揮できる。
【００１３】
（１）請求項１に係る眼鏡ホルダーによれば、クリップや安全ピンによって衣服等に固定される固定部に、環状体から成る挿通部を取り付け、その挿通部に眼鏡の弦を挿通させて下げるようにしたので、固定部から眼鏡までの距離を可及的に短くでき、体の動きによる眼鏡の揺れを小さくできる。
【００１４】
使用者の首から吊り下げるのではなく、使用者の衣服等に吊り下げるので、使用者が前屈みになったとしても、吊り下げられた眼鏡が使用者の目の真下に位置することはなく、下向きの視界を遮らない。
【００１５】
固定部にクリップや安全ピンを用いているので、衣服の様々な場所の他、ショルダーバッグやズボン等のベルトへも容易に装着でき、装着場所の変更も容易である。
【００１６】
固定部に挿通部を取り付けただけの大きさなので、挿通部に眼鏡を下げることなく衣服等に装着しておいても、邪魔にならない。環状体から成る挿通部はそれ自体が装飾物としても機能し得るので、衣服等に装着されれば、挿通部に眼鏡を下げていない状態でも、装飾品となる。
【００１７】
（２）請求項２に係る眼鏡ホルダーによれば、挿通部を成す環状体が厚さが幅よりも小さい扁平断面となっているので、その環状体に弦が折り畳まれた眼鏡の蝶番を下げた際、蝶番が環状体の厚さによって押し開かれることが抑制され、眼鏡の弦が開き難い。
【００１８】
（３）請求項３に係る眼鏡ホルダーによれば、挿通部を成す環状体が弾性を有するコイルをリング状に繋げた構成となっているので、その環状体に眼鏡の弦を挿通させて蝶番の位置で引っ張ることで、眼鏡の蝶番がコイルの間に噛み込んだ状態となり、眼鏡が脱落し難い。また、コイルは伸び縮み自在なので、伸ばすことで容易に眼鏡を外すことができる。
【００１９】
（４）請求項４に係る眼鏡ホルダーによれば、固定部又は挿通部の少なくとも一方に装飾が設けられているので、デザイン性が高く、衣服等に装着すれば、眼鏡を掛けない状態においても装飾品となる。
【図面の簡単な説明】
【００２０】
【図１】本発明の一実施形態を示す眼鏡ホルダーの説明図である。
【図２】図１の眼鏡ホルダーに眼鏡を下げた状態を示す使用説明図である。
【図３】（ａ）は図２に示す眼鏡ホルダーの挿通部及び眼鏡の蝶番の部分拡大断面図、（ｂ）は比較例を示す眼鏡ホルダーの挿通部及び眼鏡の蝶番の部分拡大断面図である。
【図４】本発明の第１の変形実施形態を示す眼鏡ホルダーの説明図である。
【図５】図４の眼鏡ホルダーに眼鏡を下げた状態を示す使用説明図である。
【図６】本発明の第２の変形実施形態を示す眼鏡ホルダーの説明図である。
【図７】本発明の第３の変形実施形態を示す眼鏡ホルダーの説明図である。
【図８】図７の眼鏡ホルダーに眼鏡を下げた状態を示す使用説明図である。
【図９】図７の眼鏡ホルダーを衣服のポケットに装着した状態を示す使用説明図である。
【発明を実施するための形態】
【００２１】
本発明の好適実施形態を添付図面に基づいて説明する。
【００２２】
図１に示す本実施形態に係る眼鏡ホルダー１は、外した眼鏡を衣服やベルトに保持するものであり、衣服やベルトに固定されるクリップ２を有する固定部３と、固定部３に取り付けられた環状体４から成り眼鏡の弦が挿通される挿通部５とを備えている。
【００２３】
クリップ２は、バネ挟みからなっており、バネ挟みは、中程がピン６で連結された一対の挟持片７を有する。挟持片７は、断面が略コ字状に形成されており、その一端には衣服やベルトを挟む挟み部８が形成され、ピン６を挟んだ他端には使用者の手指で摘まれる摘み部９が形成されている。また、ピン６には、挟み部８同士を押し付けるように付勢するバネ（弦巻バネ）６ｂが装着されている。
【００２４】
摘み部９をバネ６ｂの力に抗して摘むことで挟み部８が開き、摘み部９を解放することで挟み部８が閉じる。挟持片７は、本実施形態では、長さＬ１が約２５ｍｍ、幅Ｗ１が約１０ｍｍとなっているが、これらの数値に限定されるものではない。かかるクリップ２は、金属製でも樹脂製でも構わない。
【００２５】
一方の挟持片７の摘み部９には、取付穴１０が形成されており、取付穴１０には、連結リング１１を介して挿通部５が取り付けられている。挿通部５は、図２に示すように、眼鏡１２の弦１３が耳掛け１７から挿通される挿通穴１４（図１参照）を有する環状体４からなり、環状体４には、連結リング１１が取り付けられる穴１５が形成された取付部１６が形成されている。なお、摘み部９の取付穴１０に、挿通部５を直接取り付けるようにし、連結リング１１を省略してもよい。
【００２６】
環状体４は、図３（ａ）に示すように、厚さＴ２が幅Ｗ２よりも小さい扁平断面を有し、外縁４ａ及び内縁４ｂが滑らかにアール成形されている。本実施形態では、図１に示すように、環状体４の外径Ｄ１が約１３ｍｍ、挿通穴１４の内径Ｄ２が約９ｍｍ、環状体４の幅Ｗ２が約２ｍｍ、環状体４の厚さＴ２が約１．５ｍｍとなっているが、これらの数値に限定されるものではない。また、環状体４（挿通部５）は、金属製でも樹脂製でも構わない。
【００２７】
本実施形態に係る眼鏡ホルダー１の使用方法（作用）及び利点（効果）を述べる。
【００２８】
予め、固定部３のクリップ２を使用者の衣服やベルト等の任意の位置（襟、ポケット、Ｔシャツの胸部等）に固定しておく。その後、眼鏡１２を顔から外した際に、図２に示すように、眼鏡１２の弦１３を挿通部５の挿通穴１４に耳掛け１７から挿入し、弦１３を折り畳んだ眼鏡１２を蝶番１８の部分で挿通部５に下げる。こうすることで、サングラスや老眼鏡等の眼鏡１２を顔から外した際、その眼鏡１２を手で持つことなく携帯でき、利便性が高まる。
【００２９】
なお、眼鏡１２を顔から外す前に固定部３のクリップ２を使用者の衣服等から一旦取り外し、挿通部５に眼鏡１２の弦１３を挿通して弦１３を折り畳んだ眼鏡１２の蝶番１８を挿通部５に下げた後、固定部３のクリップ２を使用者の衣服等に装着し直してもよい。このようにしても、顔から取り外したサングラスや老眼鏡等の眼鏡１２を手で持つことなく携帯できる。
【００３０】
クリップ２によって衣服等に固定される固定部３に、環状体４から成る挿通部５を取り付け、その挿通部５に眼鏡１２の弦１３を挿通して下げるようにしたので、挿通部５に下げられた眼鏡１２の揺れの支点となる固定部３から眼鏡１２までの距離を、紐やチェーンによって眼鏡を首から吊り下げるタイプにおける首から眼鏡までの距離と比べると大幅に短くでき、体の動きによる眼鏡１２の揺れを小さくできる。
【００３１】
使用者の首から吊り下げるのではなく、使用者の衣服等に固定部３を取り付けてそこから下げるので、使用者が前屈みになった際に、下げられた眼鏡１２が使用者の目の真下に位置することはなく、下向きの視界を遮らない。よって、前屈みになって靴の脱ぎ履き等の下向きの作業を行う際に、下げられた眼鏡１２が邪魔にならず、下向き作業が妨げられない。
【００３２】
固定部３にクリップ２を用いているので、衣服の襟やポケット、ワイシャツの前立て（ボタンが取り付けられた部分）、背広の襟型（ラペル）の他、襟やポケットが無いセーターやＴシャツの任意の箇所、ズボンやショルダーバッグのベルト等、クリップ２で挟んで留められるものであればどこでも容易に装着でき、装着場所の変更も容易である。
【００３３】
例えば、一旦、この眼鏡ホルダー１を衣服の胸の部分に装着した後、肩にショルダーバッグを掛け、ショルダーバッグの肩紐が眼鏡ホルダー１やそれに下げられた眼鏡１２と干渉する場合、歩きながらでも片手でクリップ２を衣服の別の位置に付け直すことができ、干渉を容易に解消できる。
【００３４】
固定部３に挿通部５を取り付けただけの大きさなので、挿通部５に眼鏡１２を下げることなく衣服等に装着しておいても、邪魔にならない。また、環状体４から成る挿通部５はそれ自体が装飾物としても機能し得るので、衣服等に装着されれば、挿通部５に眼鏡１２を下げていない状態でも、装飾品となる。よって、常に衣服等に装着しておくことができ、紛失を防止できる。
【００３５】
挿通部５の環状体４を磨き上げる等すれば、環状体４のリングのみでも装飾物としてのデザイン性が高まる。環状体４の形状は、円形のリングに限られず、三角形状のリングや四角形状のリングとしてデザイン性を高めてもよい。また、挿通部５及び固定部３の少なくとも一方に、衣服等への装着の邪魔にならず、眼鏡１２の弦１３の挿通の邪魔にならない範囲で、ブローチ、コサージュ、リボン等の装飾を設け、デザイン性を高めてもよい。
【００３６】
この眼鏡ホルダー１は、眼鏡１２自体に恒常的に装着しておくものではないので、眼鏡１２のデザイン性を妨げることはなく、また、眼鏡ホルダー１によって眼鏡１２の重量が重くなったり、眼鏡１２を顔に掛けて使用しているときに視界に眼鏡ホルダー１が入って邪魔になることもない。
【００３７】
また、図３（ａ）に示すように、挿通部５を成す環状体４が厚さＴ２が幅Ｗ２よりも小さい扁平断面となっているので、その環状体４に弦１３が折り畳まれた眼鏡１２の蝶番１８を下げた際、蝶番１８が環状体４の厚さＴ２によって押し開かれることが抑制され、眼鏡１２の弦１３が開き難くなる。
【００３８】
仮に、図３（ｂ）に示すように、挿通部５を成す環状体４が円形断面となっている場合、その環状体４の厚みによって蝶番１８が押し広げられてしまい、眼鏡１２の弦１３が開き易い。このため、眼鏡１２が挿通部５から脱落する可能性が高まってしまう。本実施形態では、図３（ａ）に示すように環状体４を扁平断面とすることで、眼鏡１２の弦１３を開き難くしている。
【００３９】
また、この眼鏡ホルダー１は、図１に示すように、クリップ２の取付穴１０を含む平面と挟み部８の幅Ｗ１方向を含む平面とが平行となっており、挿通部５の挿通穴１４を含む平面と連結リング１１用の穴１５を含む平面とが平行となっている。そして、クリップ２の取付穴１０と挿通部５の穴１５とが連結リング１１を介して連結されている。
【００４０】
このため、図２に示すように、クリップ２の挟み部８を衣服等に挟んで挿通部５を吊り下げた際に、挿通部５の挿通穴１０を含む平面がクリップ２の挟み部８の幅Ｗ１方向を含む平面と平行となり、挿通穴１４に挿通支持された眼鏡１２のレンズ１９の部分がクリップ２の挟み部８の幅Ｗ１方向を含む平面と平行となって使用者の衣服等の表面と平行となる。
【００４１】
よって、眼鏡１２が捻れた状態（眼鏡１２のレンズ１９の部分が使用者の衣服等に対して略直交する状態）で吊り下げられることが回避され、眼鏡１２が邪魔になり難い。なお、連結リング１１を省略してクリップ２の取付穴１０に直接挿通部５を取り付ける場合には、挿通部５の穴１５を挿通穴１４に対して直交して形成することになる（図６参照）。
【００４２】
本発明の第１の変形実施形態を図４、図５に示す。
【００４３】
図示するように、この実施形態に係る眼鏡ホルダー１ａは、衣服やベルトにそれらを挟んで固定されるクリップ２０を有する固定部２１と、固定部２１に取り付けられた環状体２２からなる挿通部２３とを備えている点では、前実施形態と同様である。
【００４４】
固定部２１のクリップ２０は、前実施形態のクリップ２とは構造が異なるが機能は同様のバネ挟みからなり、断面Ｊ字状の板体からなるベース部２４と、ベース部２４にピン２５を介して装着されたレバー２６とを備えている。レバー２６の一端には挟み部２７が形成され、レバー２６の他端には摘み部２８が形成され、ピン２５には挟み部２７をベース部２４に押し付けるバネ（弦巻バネ）２９が装着されている。
【００４５】
摘み部２８及びベース部２４をバネ２９の力に抗して摘むことで挟み部２７が開き、摘み部２８を解放することで挟み部２７が閉じる。このクリップ２０は、長さＬ３が約２５ｍｍ、幅Ｗ３が約６ｍｍとなっているが、これらの数値に限定されるものではない。クリップ２０は、金属製でも樹脂製でも構わない。
【００４６】
クリップ２０のベース部２４には、断面Ｊ字状の屈曲部の近傍に穴３０が形成されており、穴３０には、連結リング３１を介して挿通部２３が取り付けられている。挿通部２３は、弾性を有するポリウレタン等からなるコイル３２をリング状に繋げた環状体２２から成り、伸び縮み可能となっている。
【００４７】
この変形実施形態によれば、挿通部２３を成す環状体２２が弾性を有するコイル３２をリング状に繋げた構成となっているので、図５に示すように、その環状体２２に眼鏡１２の弦１３を耳掛け１７から挿通させて蝶番１８の位置で引っ張ることで、眼鏡１２の蝶番１８がコイル３２の輪の間に噛み込んだ状態となる。
【００４８】
すなわち、眼鏡１２の智３３（弦１３とレンズ枠３３とを繋ぐ部分）と弦１３の蝶番１８の近傍部分とが、縮もうとするコイル３２によって蝶番１８を閉じる方向に押さえられる。よって、弦１３の開きが押さえられ、眼鏡１２が脱落し難くなる。また、コイル３２は伸び縮み自在なので、伸ばすことで容易に眼鏡１２を外すことができる。
【００４９】
挿通部２３を成すコイル３２の環状体２２を、無色透明、青、赤、黄等の有色透明、半透明のポリウレタン等の樹脂から成形すれば、それ自体で装飾物としても機能し得るので、衣服等に装着されれば、挿通部２３に眼鏡１２を下げていない状態でも、装飾品となる。よって、常に衣服等に装着しておくことができ、紛失を防止できる。
【００５０】
その他、この変形実施形態の基本的な作用効果は、前実施形態と同様であるので、説明を省略する。
【００５１】
本発明の第２の変形実施形態を図６に示す。
【００５２】
図示するように、この実施形態に係る眼鏡ホルダー１ｂは、衣服やベルトに固定される固定部３５にクリップではなく安全ピン３６を用いた点と、その固定部３５に装飾物としてブローチ３７を形成した点が最初の実施形態と異なり、その他は最初の実施形態と略同様の構成となっている。
【００５３】
安全ピン３６は、ブローチ３７に装着された針３８と、針３８を開く方向に付勢するバネ３９と、針３８の先端を保持する断面コ字状のキャッチ４０と、キャッチ４０に保持した針３８の先端が外れないように押さえるロック４１とを備えている。
【００５４】
ブローチ３７は、金属や樹脂等からなり、表面が例えば金色又は銀色となっている。ブローチ３７の下部の中央には、取付穴４２が形成された取付部４３が設けられており、取付穴４２には、連結リング４４を介して挿通部４５が取り付けられている。
【００５５】
挿通部４５は、眼鏡１２の弦１３が耳掛け１７から挿通される挿通穴４６を有する環状体４７からなり、環状体４７には、連結リング４４が取り付けられる穴５０が形成された取付部５１が形成されている。なお、取付穴４２に、挿通部４５を直接取り付けるようにし、連結リング４４を省略してもよい。
【００５６】
安全ピン３６を使用者の衣服等に取り付けて挿通部４５を吊り下げた際、挿通穴４６が衣服等に対して略平行となって正面を向くように、取付部５１の穴５０が挿通穴４６に対して直交され、且つ、ブローチ３７の取付穴４２が安全ピン３６のピン３８に対して略平行に形成されている。なお、連結リング４４を省略してブローチ３７の取付穴４２に直接挿通部４５を取り付ける場合には、取付部５１の穴５０を挿通穴４６と平行に形成することになる（図１参照）。
【００５７】
挿通部４５の挿通穴４６が正面を向くことで、環状体４４から成る挿通部４５の装飾物としての機能が高まる。また、その挿通部４５に眼鏡１２の弦１３を挿通して弦１３が折り畳まれた眼鏡１２の蝶番１８を下げると、下げられた眼鏡１２のレンズ１９の部分が衣服等と平行となるため、眼鏡１２が衣服等に対して捻れた状態となることを回避できる。
【００５８】
この実施形態によれば、固定部３５に安全ピン３６を用いているので、クリップでは挟み難いオーバーコートのような厚手の衣服であっても、容易に装着できる。なお、女性用の衣服は、ポケットが殆どなく、あっても浅く形のみであって機能的ではないものが多い。オーバーコートのような外套も例外ではなく、内ポケットがないものが殆どであり、顔から外した眼鏡１２を収容することはできない。そのような衣服であっても、安全ピン３６を衣服等に刺し通すことで、容易に装着及び取り外しができる。
【００５９】
その他、この変形実施形態の基本的な作用効果は、最初の実施形態と同様であるので、説明を省略する。
【００６０】
本発明の第３の変形実施形態を図７〜図９に示す。
【００６１】
図示するように、この実施形態に係る眼鏡ホルダー１ｃは、衣服やベルトに固定される固定部５２のクリップをバネ挟みではなく万年筆等に用いられる板バネクリップ５３とし、その板バネクリップ５３を基板５４の表面に装着し、基板５４の裏面に眼鏡１２の弦１３が挿通される挿通部５５を取り付けたものである。
【００６２】
基板５４は、板バネクリップ５３との間に衣服のポケット（胸ポケット）５６の布地を挟んで支持する機能を有する他、挿通部５５に弦１３が挿通された眼鏡１２を押さえて安定させる押さえ板としての機能も有する。なお、図８では、眼鏡１２の弦１３の側が基板５４に向けられているが、眼鏡１２のレンズ１９の側が基板５４に向くようにしてもよい。また、基板５４の裏面に、レンズ１９や弦１３が傷つかないよう、フェルト等の防護布を貼付しておいてもよい。
【００６３】
挿通部５５は、平帯状に形成されており、厚さＴ４が幅Ｗ４よりも小さい扁平断面を有する環状体からなる。よって、その挿通部５５に眼鏡１２の弦１３を挿入し、弦１３が折り畳まれた眼鏡１２の蝶番１８を下げた際、図３（ａ）、図３（ｂ）を用いて説明したものと同様に、眼鏡１２の弦１３が開く難くなる。なお、挿通部５５の環状体は、平帯状の板体を略Ｕ字状に屈曲し、それを基板５４の裏面に取り付けることで構成される。
【００６４】
このような眼鏡ホルダー１ｃを用いることなく眼鏡１２を単に衣服の胸ポケット５６に入れた状態とすると、使用者が前屈みになったり飛び跳ねた場合、眼鏡１２が胸ポケット５６から飛び出てしまい、眼鏡１２を紛失或いは損傷する可能性がある。例えば、高齢者（中高齢者）が川や海などで釣りをする場合、釣り針に餌を付けるときには眼鏡（老眼鏡）１２を顔に掛けて使用するが、餌付け後、竿を振り出して実質的に釣りを行う際には眼鏡（老眼鏡）１２を顔から外して衣服の胸ポケット５６に収容することが多い。その状態で、使用者が靴紐の結び直し等の前屈みの作業をしたり岩場を移動するために飛び跳ねたりすると、眼鏡１２が胸ポケット５６から飛び出てしまい、眼鏡１２を紛失或いは損傷する可能性がある。
【００６５】
本実施形態に係る眼鏡ホルダー１ｃを用いれば、基板５４が板バネクリップ５３によって使用者の胸ポケット５６にしっかりと固定され、その基板５４に設けられた挿通部５５に眼鏡１２の弦１３が引っ掛かった状態となって眼鏡１２が基板５４に押し付けられて安定して支持されるので、使用者が前屈みになったり飛び跳ねたりしても、眼鏡１２が眼鏡ホルダー１ｃ及び胸ポケット５６から脱落することはない。
【００６６】
その他、この変形実施形態の基本的な作用効果は、最初の実施形態と同様であるので、説明を省略する。
【００６７】
本発明は、上述した実施形態に限定されるものではなく、特許請求の範囲に記載された発明を逸脱しない範囲内であれば、様々な実施形態が含まれる。
【符号の説明】
【００６８】
１  眼鏡ホルダー
２  クリップ
３  固定部
４  環状体
５  挿通部
１２  眼鏡
１３  弦
１７  耳掛け
１８  蝶番
Ｔ２  厚さ
Ｗ２  幅
１ａ  眼鏡ホルダー
２０  クリップ
２１  固定部
２２  環状体
２３  挿通部
３２  コイル
１ｂ  眼鏡ホルダー
３６  安全ピン
３５  固定部
４４  環状体
４５  挿通部
１ｃ  眼鏡ホルダー
５２  固定部
５３  クリップ（板バネクリップ）
５５  挿通部
【図１】
2012022195.tif 000003
【図２】
2012022195.tif 000004
【図３】
2012022195.tif 000005
【図４】
2012022195.tif 000006
【図５】
2012022195.tif 000007
【図６】
2012022195.tif 000008
【図７】
2012022195.tif 000009
【図８】
2012022195.tif 000010
【図９】
2012022195.tif 000011